(57)【要約】【課題】  ゴルフクラブのシャフト軸に対してヘッドのフェース面のロフト角度を角度可変自在とすることにより、一本のゴルフクラブで複数のゴルフクラブを兼ねるようにして、グリーンをまわる場合に携帯するゴルフクラブの本数を少なくして、グリーンをまわる場合のゴルフクラブの携帯による疲労を少なくすることのできるゴルフクラブを提供することにある。【解決手段】  ゴルフクラブ１のヘッド２２が取り付けられるシャフト３の下部を、フェース面２３に対して直交する垂直面に平行な面に沿ってシャフト３側と下端部シャフト付きヘッド２側とに分断し、シャフト３側及び下端部シャフト付きヘッド２側の分断面の両面側にシャフト側円形盤３１とヘッド側円形盤２１とをそれぞれ分断面に平行に設け、シャフト側円形盤３１とヘッド側円形盤２１とを両中心部Ｃを中心として正逆回転自在及び密着自在に設け、シャフト軸３ａに対して下端部シャフト付きヘッド２側のフェース面２３のロフト角度を角度可変自在とした。【選択図】        図３
2007075278.tif 000002
【特許請求の範囲】
【請求項１】
ゴルフクラブのシャフト軸に対してヘッドのフェース面のロフト角度を角度可変自在としたことを特徴とするゴルフクラブ。
【請求項２】
ゴルフクラブのヘッドが取り付けられるシャフトの下部を、ヘッドのフェース面に対して直交する垂直面に平行な面に沿ってシャフト側と下端部シャフト付きヘッド側とに分断し、シャフト側及び下端部シャフト付きヘッド側の分断面の両面側にシャフト側円形盤とヘッド側円形盤とをそれぞれ分断面に平行に設け、シャフト側円形盤とヘッド側円形盤とを両中心部を中心として正逆回転自在及び密着自在に設け、シャフト側のシャフト軸に対して下端部シャフト付きヘッド側のフェース面のロフト角度を角度可変自在としたことを特徴とするゴルフクラブ。
【請求項３】
ゴルフクラブのヘッドが取り付けられるシャフトの下部を、ヘッドのフェース面に対して直交する垂直面に平行な面に沿ってシャフト側と下端部シャフト付きヘッド側とに分断し、シャフト側及び下端部シャフト付きヘッド側の分断面の両面側にシャフト側円形盤とヘッド側円形盤とをそれぞれ分断面に平行に設け、シャフト側の下部をシャフト側円形盤に対してシャフト軸の角度を可変自在に設け、シャフト側円形盤とヘッド側円形盤とを両中心部を中心として正逆回転自在及び密着自在に設け、シャフト側円形盤の中央に貫通孔を形成し、シャフト側の内部にシャフトヘッド連結軸を挿入して配置し、シャフトヘッド連結軸の下端を上記貫通孔を貫通して下端部シャフト付きヘッド側のヘッド側円形盤に一体的に連結し、シャフトヘッド連結軸の上端をシャフト側の上部側に設けられたグリップの内部に連結し、グリップをシャフトに対して軸心回りに正逆回転自在に設けてグリップのシャフトに対する螺子運動による移動を通じてシャフトヘッド連結軸を介して下端部シャフト付きヘッド側のヘッド側円形盤とシャフト側のシャフト側円形盤とを密着固定及び密着解除自在にし、シャフト側のシャフト軸に対して下端部シャフト付きヘッド側のフェース面のロフト角度を角度可変自在としたことを特徴とするゴルフクラブ。
【請求項４】
シャフト側円形盤又はヘッド側円形盤の一方を磁石で構成し、他方を磁性体又は磁石で構成した請求項２又は請求項３記載のゴルフクラブ。
【請求項５】
ヘッド側円形盤の外側表面には円周方向にロフト角度の目盛りが表示され、シャフト側円形盤の部位には基準片を形成した請求項２又は請求項３記載のゴルフクラブ。
【発明の詳細な説明】
【技術分野】
【０００１】
この発明は、ゴルフクラブのシャフト軸に対してヘッドのフェース面のロフト角度を角度可変自在とすることにより、一本のゴルフクラブで複数のゴルフクラブを兼ねるようにして、グリーンをまわる場合に携帯するゴルフクラブの本数を少なくするゴルフクラブに関するものである。
【背景技術】
【０００２】
ゴルフクラブは、その飛距離に応じてそれぞれの専用のクラブがあり、その専用のクラブの本数は１０数本もある。プロゴルファーはこの１０数本のクラブを使い分けて試合を行う。素人はプロゴルファーほどでもないが、複数のゴルフクラブを使い分けてプレーする。このため、グリーンを回る場合には複数のゴルフクラブを携帯することになる。
【発明の開示】
【発明が解決しようとする課題】
【０００３】
しかしながら、プレーに使用するゴルフクラブの本数が増える程、クラブを入れたゴルフバックは重たくなり、プレー後に次の場所までこの重たいゴルフバックを抱えて移動するのは大変であった。
一方、ゴルフクラブの飛距離はフェース面のロフト角度に関係している。
【０００４】
この発明は、上記のような課題に鑑み、その課題を解決すべく創案されたものであって、その目的とするところは、ゴルフクラブのシャフト軸に対してヘッドのフェース面のロフト角度を角度可変自在とすることにより、一本のゴルフクラブで複数のゴルフクラブを兼ねるようにして、グリーンをまわる場合に携帯するゴルフクラブの本数を少なくして、グリーンをまわる場合のゴルフクラブの携帯による疲労を少なくすることのできるゴルフクラブを提供することにある。
【課題を解決するための手段】
【０００５】
以上の目的を達成するために、請求項１の発明は、ゴルフクラブのシャフト軸に対してヘッドのフェース面のロフト角度を角度可変自在とした手段よりなるものである。
【０００６】
また、請求項２の発明は、ゴルフクラブのヘッドが取り付けられるシャフトの下部を、ヘッドのフェース面に対して直交する垂直面に平行な面に沿ってシャフト側と下端部シャフト付きヘッド側とに分断し、シャフト側及び下端部シャフト付きヘッド側の分断面の両面側にシャフト側円形盤とヘッド側円形盤とをそれぞれ分断面に平行に設け、シャフト側円形盤とヘッド側円形盤とを両中心部を中心として正逆回転自在及び密着自在に設け、シャフト側のシャフト軸に対して下端部シャフト付きヘッド側のフェース面のロフト角度を角度可変自在とした手段よりなるものである。
【０００７】
また、請求項３の発明は、ゴルフクラブのヘッドが取り付けられるシャフトの下部を、ヘッドのフェース面に対して直交する垂直面に平行な面に沿ってシャフト側と下端部シャフト付きヘッド側とに分断し、シャフト側及び下端部シャフト付きヘッド側の分断面の両面側にシャフト側円形盤とヘッド側円形盤とをそれぞれ分断面に平行に設け、シャフト側の下部をシャフト側円形盤に対してシャフト軸の角度を可変自在に設け、シャフト側円形盤とヘッド側円形盤とを両中心部を中心として正逆回転自在及び密着自在に設け、シャフト側円形盤の中央に貫通孔を形成し、シャフト側の内部にシャフトヘッド連結軸を挿入して配置し、シャフトヘッド連結軸の下端を上記貫通孔を貫通して下端部シャフト付きヘッド側のヘッド側円形盤に一体的に連結し、シャフトヘッド連結軸の上端をシャフト側の上部側に設けられたグリップの内部に連結し、グリップをシャフトに対して軸心回りに正逆回転自在に設けてグリップのシャフトに対する螺子運動による移動を通じてシャフトヘッド連結軸を介して下端部シャフト付きヘッド側のヘッド側円形盤とシャフト側のシャフト側円形盤とを密着固定及び密着解除自在にし、シャフト側のシャフト軸に対して下端部シャフト付きヘッド側のフェース面のロフト角度を角度可変自在とした手段よりなるものである。
【０００８】
ここで、請求項２又は請求項３の好ましい態様として、シャフト側円形盤又はヘッド側円形盤の一方を磁石で構成し、他方を磁性体又は磁石で構成する。又ヘッド側円形盤の外側表面には円周方向にロフト角度の目盛りが表示され、シャフト側円形盤の部位には基準片を形成する。
【発明の効果】
【０００９】
以上の記載より明らかなように、この発明に係るゴルフクラブによれば、ゴルフクラブのシャフト軸に対してヘッドのフェース面のロフト角度を角度可変自在とすることにより、ゴルフクラブの飛距離を調整することができ、例えばフェース面のロフト角度を９０度のパターからサンドウェッジの５５度まで一本のクラブで対応させることができる。これにより、一本のゴルフクラブで複数のゴルフクラブを兼ねさせることが可能となり、グリーンをまわる場合に携帯するゴルフクラブの本数を少なくでき、グリーンをまわる場合のゴルフクラブの携帯による疲労を少なくすることができる等、極めて新規的有益なる効果を奏するものである。
【００１０】
また、請求項２によれば、シャフト側円形盤とヘッド側円形盤とを両中心部を中心として正逆回転することで、シャフト側のシャフト軸に対して下端部シャフト付きヘッド側のフェース面のロフト角度を任意角度に簡単に変えることができる。
【００１１】
また、請求項３によれば、グリップを回すことにより、シャフト側円形盤とヘッド側円形盤との密着及びその解除を簡単に行うことができ、密着解除状態でシャフト側円形盤とヘッド側円形盤とを正逆回転させてフェース面のロフト角度を任意角度に調整し、調整した後に密着させることでフェース面のロフト角度はシャフトに対して一定の角度に維持させることができる。さらに、フェース面に対してシャフト軸の軸角度を調整することもできる。
【００１２】
また、請求項４によれば、磁石を利用してシャフト側円形盤とヘッド側円形盤とを密着させることができる。
【００１３】
また、請求項５によれば、シャフト側円形盤の部位に基準片をヘッド側円形盤の円周方向の外側表面に記されたロフト角度の目盛りの任意角度に合わせることで、フェース面のロフト角度を簡単に調整することができる。
【発明を実施するための最良の形態】
【００１４】
以下、図面に記載の発明を実施するための最良の形態に基づいて、この発明をより具体的に説明する。
ここで、図１はゴルフクラブの全体正面図、図２（Ａ）はシャフトの下部側部分及びヘッド部分の部分拡大正面図、図２（Ｂ）は同図（Ａ）のＡ−Ａ矢視図、図３はヘッド部分の部分拡大側面図、図４（Ａ）はシャフトの下部側部分の部分拡大断面図、図４（Ｂ）は同図（Ａ）のＡ−Ａ矢視断面図、図５はシャフトの上部側のグリップの断面図である。
【００１５】
図において、ゴルフクラブ１は、一本のクラブで複数の飛距離の調整が可能で、一本のゴルフクラブで複数のゴルフクラブを兼ねことができる特徴を備えている。このゴルフクラブ１は、ヘッド２２が取り付けられるシャフト３の下部が、下端部シャフト付きヘッド２側とシャフト３側とに分断されている。
【００１６】
下端部シャフト付きヘッド２側とシャフト３側とは、ヘッド２２のフェース面２３に対して直交する垂直面に平行な面に沿って分断され、シャフト３側の下部の端部の分断面にはシャフト側円形盤３１が設けられている。下端部シャフト付きヘッド２側の分断面にはヘッド側円形盤２１が設けられている。シャフト側円形盤３１とヘッド側円形盤２１とはそれぞれ分断面に平行に設けられている。
【００１７】
ヘッド側円形盤２１は、下端部シャフト付きヘッド２側の下端部シャフト２４の一方側の端部に一体的に固着されて設けられている。下端部シャフト２４はその他方側の端部がヘッド２２の側面部に斜め上向きに傾けて一体的に固着されて取り付けられている。
【００１８】
ヘッド側円形盤２１及びシャフト側円形盤３１は、それぞれ例えば一定の厚みと同一直径の円形盤から形成されている。各円形盤の密着面は平坦面に形成されていて、隙間なく密着する構造に形成されている。シャフト側円形盤３１とヘッド側円形盤２１とは、両円形盤の中心部Ｃを中心として正逆回転自在になるように密着して設けられている。
【００１９】
シャフト側円形盤３１の中央には円形の貫通孔３１ａが形成されている。この貫通孔３１ａにはシャフト３側の内部に挿入されて配置されたシャフトヘッド連結軸３２の下端側が貫通している。この貫通孔３１ａを通じてシャフトヘッド連結軸３２の下端側は下端部シャフト付きヘッド２側に連結される。シャフトヘッド連結軸３２はシャフト３側の内部に挿入されていて、このシャフトヘッド連結軸３２はゴルフクラブ１の使用中にはシャフト３側及びシャフト側円形盤３１によってその外部が覆われているため、外部から見えないように隠されている。
【００２０】
ヘッド側円形盤２１又はシャフト側円形盤３１は、その一方が磁石で構成され、他方が磁性体又は磁石で構成されている。つまり、ヘッド側円形盤２１が磁石で構成される場合には、シャフト側円形盤３１は磁性体又は磁石で構成される。このように、一方が磁石で構成されて、他方が磁性体又は磁石で構成されることにより、ヘッド側円形盤２１とシャフト側円形盤３１とは磁石の作用により密着する。なお、双方が磁石で構成される場合には、向かい合う一方がＮ極で他方がＳ極となる向きに取り付けられる。
【００２１】
ヘッド側円形盤２１の外側表面には、円周方向にロフト角度の目盛り２１ａが表示されている。またこのロフト角度の目盛り２１ａの任意角度に合わせるための基準片３１ｂがシャフト側円形盤３１の部位つまりその近傍に設けられている。基準片３１ｂはシャフト軸３ａに平行にシャフト３の下部側の外側表面に突出形成されている。
【００２２】
シャフト３側の下部は、シャフト側円形盤３１に対してシャフト軸３ａの角度が可変できる構造になっている。つまり、シャフト３側の下部側はコイル状に巻いた自在曲管３３から構成されていて、任意方向に曲がることができる構造になっている。
【００２３】
シャフト３側の下部側のコイル状の自在曲管３３の内部には、シャフト３側の内部に挿入されたシャフトヘッド連結軸３２が例えばユニバーサルジョイント３４によって直交する二方向に回動自在に連結されていて、この内部のユニバーサルジョイント３４によってシャフト３側の下部側のコイル状の自在曲管３３は可変自在な構造になっている。
【００２４】
シャフト３側の下部側のコイル状の自在曲管３３の外部には、任意方向に曲げた自在曲管３３を固定して曲げ状態を保持する保持部３５が設けられている。保持部３５は、自在曲管３３を挟んでその上下側のシャフト３の外部側面に固設された上部保持片３５ａ及び下部保持片３５ｂと、上部保持片３５ａと下部保持片３５ｂとが上下で噛み合う部分に挿通されて締め付けるボルト３５ｃとから構成されている。
【００２５】
シャフト３側の上部側にはグリップ３６が設けられている。グリップ３６はシャフト３に対して軸心回りに正逆回転自在に設けられている。下端がヘッド側円形盤２１に連結された上記シャフトヘッド連結軸３２の上端はグリップ３６の内部に連結されている。
【００２６】
これにより、グリップ３６をシャフト３に対して軸心回りに正逆回転自在に設けてグリップ３６のシャフト３に対する螺子運動による移動を通じて、シャフトヘッド連結軸３２を介して下端部シャフト付きヘッド２側のヘッド側円形盤２１とシャフト３側のシャフト側円形盤３１とを密着固定及び密着固定解除できる構造になっている。
【００２７】
次に、上記発明を実施するための最良の形態の構成に基づく作用について以下説明する。
ゴルフクラブ１の、ヘッド２２のフェース面２３のロフト角度を変えてクラブの飛距離を調整したい場合には、グリップ３６をシャフト３の軸心回りの例えば右回りに回して、ヘッド側円形盤２１をシャフト側円形盤３１側に引っ張っているシャフトヘッド連結軸３２を弛めて、シャフトヘッド連結軸３２を通じてヘッド側円形盤２１とシャフト側円形盤３１との密着固定を解除する。
【００２８】
シャフトヘッド連結軸３２を弛めた後、ヘッド側円形盤２１及びシャフトヘッド連結軸３２の中心部Ｃを中心として、下端部シャフト付きヘッド２側のヘッド側円形盤２１をシャフト３側の下部に設けられた基準片３１ｂに、ヘッド側円形盤２１の外側表面に表示された任意のロフト角度の目盛り２１ａの位置が合うように回すことにより、ヘッド２２のフェース面２３のロフト角度を任意の角度に調整して、ゴルフクラブ１の飛距離をすることができる。
【００２９】
このようにして、ヘッド２２のフェース面２３のロフト角度を調整した後、グリップ３６を上記と反対回りシャフト３の軸心回りの例えば左回りに回して、ヘッド側円形盤２１とシャフト側円形盤３１とを弛めていたシャフトヘッド連結軸３２をシャフト３の上部側に引っ張ることで、シャフトヘッド連結軸３２を通じてヘッド側円形盤２１はシャフト側円形盤３１に密着固定されて、ヘッド２２のフェース面２３のロフト角度は固定される。
【００３０】
また、シャフト軸３ａの角度を少し調整した場合には、保持部３５のボルト３５ｃを弛めた後、コイル状の自在曲管３３の内部に挿入された二軸方向のユニバーサルジョイント３４を利用してコイル状の自在曲管３３を任意方向に曲げてライ角度を自由に調整し、その後、弛めていた保持部３５のボルト３５ｃを締める。このボルト３５ｃを弛めたり締めたりする場合には、例えばねじ回し付きフォークを利用する。
【００３１】
なお、この発明は上記発明を実施するための最良の形態に限定されるものではなく、この発明の精神を逸脱しない範囲で種々の改変をなし得ることは勿論である。
【図面の簡単な説明】
【００３２】
【図１】この発明を実施するための最良の形態を示すゴルフクラブの全体正面図である。
【図２】（Ａ）はこの発明を実施するための最良の形態を示すシャフトの下部側部分及びヘッド部分の部分拡大正面図である。  （Ｂ）は同図（Ａ）のＡ−Ａ矢視図である。
【図３】この発明を実施するための最良の形態を示すヘッド部分の部分拡大側面図である。
【図４】（Ａ）はこの発明を実施するための最良の形態を示すシャフトの下部側部分の部分拡大断面図である。  （Ｂ）は同図（Ａ）のＡ−Ａ矢視断面図である。
【図５】この発明を実施するための最良の形態を示すシャフトの上部側のグリップの断面図である。
【符号の説明】
【００３３】
１    ゴルフクラブ
２    下端部シャフト付きヘッド
２１    ヘッド側円形盤
２１ａ  ロフト角度の目盛り
２２    ヘッド
２３    フェース面
２４    下端部シャフト
３    シャフト
３ａ  シャフト軸
３１    シャフト側円形盤
３１ａ  貫通孔
３１ｂ  基準片
３２    シャフトヘッド連結軸
３３    自在曲管
３４    ユニバーサルジョイント
３５    保持部
３５ａ  上部保持片
３５ｂ  下部保持片
３５ｃ  ボルト
３６    グリップ
Ｃ    中心部
【図１】
2007075278.tif 000003
【図２】
2007075278.tif 000004
【図３】
2007075278.tif 000005
【図４】
2007075278.tif 000006
【図５】
2007075278.tif 000007